(57)【要約】【課題】  農業用フィルムを傷つけることなく確実に汚れを除去するとともに、農業用フィルムの洗浄から折畳みまでを一つのシステムで完結できるようにする。【解決手段】  本発明の農業用フィルム洗浄方法及び農業用フィルム洗浄装置では、農業用フィルムを水槽内の超音波振動ユニットに接触させた状態で超音波振動ユニットを振動させることで、農業用フィルムに付着した汚れを取り除くようにした。本発明の農業用フィルム洗浄折畳み方法及び農業用フィルム洗浄折畳みシステムでは、洗浄装置の先方に乾燥装置を、その乾燥装置の先方に折畳み装置を設置し、農業用フィルムをこの順番で移動させることによって、農業用フィルムの洗浄−乾燥−折畳みという一連の作業を一つのシステムで完結できるようにした。【選択図】図１
2018008187.tif 000002
【特許請求の範囲】
【請求項１】
農業用フィルムに付着した汚れを取り除く農業用フィルム洗浄方法において、
水槽内の農業用フィルムを当該水槽内に配設された超音波振動ユニットに接触させた状態で前記超音波振動ユニットを振動させることによって、前記農業用フィルムに付着した汚れを取り除く、
ことを特徴とする農業用フィルム洗浄方法。
【請求項２】
農業用フィルムに付着した汚れを取り除く農業用フィルム洗浄装置において、
水槽と、当該水槽内に配設された超音波振動ユニットと、水槽の内部又は／及び外部に設けられたガイドを備え、
前記ガイドは、前記農業用フィルムを前記超音波振動ユニットの表面に接触させた状態で先方へ案内できる位置に設けられた、
ことを特徴とする農業用フィルム洗浄装置。
【請求項３】
農業用フィルムを洗浄して所定形状に折り畳む方法であって、
前記農業用フィルムを先方に向けて移動させ、その移動中の農業用フィルムを、超音波振動ユニットを備えた洗浄装置で洗浄し、
前記洗浄後の農業用フィルムを前記洗浄装置よりも先方に移動させ、その移動中の農業用フィルムを前記洗浄装置の先方に設けられた前記乾燥装置で乾燥させ、
前記乾燥させた農業用フィルムを前記乾燥装置よりも先方に移動させ、その移動中の農業用フィルムを前記乾燥装置の先方に設けられた折畳み装置で所定形状に折り畳む、
ことを特徴とする農業用フィルム洗浄折畳み方法。
【請求項４】
請求項３記載の農業用フィルム洗浄折畳み方法において、
農業用フィルムを請求項１記載の農業用フィルム洗浄方法で洗浄する、
ことを特徴とする農業用フィルム洗浄折畳み方法。
【請求項５】
請求項３又は請求項４記載の農業用フィルム洗浄折畳み方法において、
乾燥装置での乾燥前に、農業用フィルムに付着した水を除去する、
ことを特徴とする農業用フィルム洗浄折畳み方法。
【請求項６】
農業用フィルムを洗浄して所定形状に折り畳むシステムであって、
農業用フィルムを洗浄する洗浄装置と、洗浄した農業用フィルムを乾燥する乾燥装置と、農業用フィルムを所定形状に折り畳む折畳み装置と、前記洗浄装置及び乾燥装置を通過する農業用フィルムを引き込んで折畳み装置へと送り込むフィルム搬送装置を備え、
前記洗浄装置の先方に乾燥装置が、当該乾燥装置の先方に折畳み装置が、前記折畳み装置の近傍にフィルム搬送装置が設けられ、
前記フィルム搬送装置は、前記農業用フィルムを洗浄装置、乾燥装置、折畳み装置の順に移動させることができ、
前記洗浄装置は超音波振動ユニットを備え、その超音波振動ユニットから発生する超音波振動によって前記フィルム搬送装置で移動する農業用フィルムを洗浄することができ、
前記乾燥装置は、前記フィルム搬送装置によって移動する洗浄後の農業用フィルムを乾燥することができ、
前記折畳み装置は、前記フィルム搬送装置によって移動する乾燥後の農業用フィルムを折り畳むことができる、
ことを特徴とする農業用フィルム洗浄折畳みシステム。
【請求項７】
請求項６記載の農業用フィルム洗浄折畳みシステムにおいて、
洗浄装置は、請求項２記載の農業用フィルム洗浄装置である、
ことを特徴とする農業用フィルム洗浄折畳みシステム。
【発明の詳細な説明】
【技術分野】
【０００１】
本発明は、トンネル栽培や農業用ハウス栽培などに用いられる軟質塩化ビニールフィルム、ポリオレフィンフィルムといった農業用軟質フィルム（以下「農業用フィルム」という）を洗浄する農業用フィルム洗浄方法及び農業用フィルム洗浄装置、並びに、農業用フィルムを洗浄して折り畳む農業用フィルム洗浄折畳み方法及び農業用フィルム洗浄折畳みシステムに関する。
【背景技術】
【０００２】
野菜や花卉をトンネル栽培や農業用ハウスで栽培する場合に使用される農業用フィルムには、栽培中に泥や農薬などの様々な汚れが付着する。農業用フィルムを再利用するためには、付着した汚れを取り除く必要がある。
【０００３】
従来、農業用フィルムを洗浄する方法として、農業用フィルムを容器内に送り込み、容器内で散水をすることによって洗浄する方法（特許文献１）や、農業用フィルムの汚れを高速回転洗浄機での衝撃摩擦で剥離させた後、その汚れをエアで農業用フィルムから分離する方法（特許文献２）などが提案されている。
【０００４】
また、農業用フィルムの洗浄装置ではないが、薄膜状或いはシート状の物品の洗浄に用いる装置として、超音波洗浄装置（特許文献３）が知られている。超音波洗浄装置は、振動ユニットを振動させて水中に微細な泡を発生させ、この泡が洗浄対象物にぶつかって壊れるときの衝撃波によって汚れを剥離するものである。
【０００５】
また、使用済みの農業用フィルムを回収してつづら折りできるようにした装置として、本件出願人が先に出願した農業用フィルム回収折畳み装置（特許文献４）がある。
【先行技術文献】
【特許文献】
【０００６】
【特許文献１】実用新案登録第３１４５６０３号公報
【特許文献２】特開２００６−２８９８１４号公報
【特許文献３】特開２００６−００７１０４号公報
【特許文献４】特開２００３−０６１４８２号公報
【発明の概要】
【発明が解決しようとする課題】
【０００７】
しかし、前記散水方式や衝撃摩擦方式でもこびりついた汚れは落ちにくく、完全に汚れを落としきれないこともある。この場合、二次的にブラシなどで取り除くこともできるが、こびりついた汚れを取り除くためにブラシで力強くこすると農業用フィルムが破れたり傷付いたりすることがある。
【０００８】
また、従来の超音波洗浄装置は、洗浄対象物が水中に入れても形状が変化しない硬質のものである場合には効果的に洗浄をすることができるが、洗浄対象物が農業用フィルムのような軟質なものである場合には、洗浄対象物によって超音波が吸収され、効果的に洗浄をすることは困難であった。
【０００９】
また、従来の農業用フィルム回収折畳み装置によれば、農業用フィルムをスムーズに回収して折り畳むことができるが、その後、洗浄して折り畳むまでの作業は、別途行わなければならない。
【００１０】
本発明の解決課題は、農業用フィルムを傷つけることなく確実に汚れを除去することができ、光線透過率を初期の状態と同程度まで戻すことができ、農業用フィルムの洗浄から折畳みまでを一つのシステムで完結できるようにすることにある。
【課題を解決するための手段】
【００１１】
本発明の農業用フィルム洗浄方法及び農業用フィルム洗浄装置では、農業用フィルムを水槽内の超音波振動ユニットに接触させた状態（接触するほど近接させた状態を含む。本願において、同じ）で、超音波振動ユニットを振動させることで、農業用フィルムに付着した汚れを取り除くようにした。
【００１２】
本発明の洗浄装置の農業用フィルム洗浄折畳み方法及び農業用フィルム洗浄折畳みシステムでは、洗浄装置の先方に乾燥装置を、その乾燥装置の先方に折畳み装置を設置し、農業用フィルムをこの順番で通過させることによって、農業用フィルムの洗浄−乾燥−折畳みという一連の作業を一つのシステムで完結できるようにした。
【発明の効果】
【００１３】
本発明の農業用フィルム洗浄方法及び農業用フィルム洗浄装置は次の効果を奏する。
（１）槽内の農業用フィルムを水槽内に配設された超音波振動ユニットに接触させた状態で超音波振動ユニットを振動させるため、超音波が吸収されにくく、汚れを効果的に取り除くことができる。
（２）超音波によって汚れを浮き上がらせるものであるため、農業用フィルムを傷つけることがない。
【００１４】
本発明の農業用フィルム洗浄折畳み方法及び農業用フィルム洗浄折畳みシステムは次の効果を奏する。
（１）洗浄装置と乾燥装置と折畳み装置とフィルム搬送装置を備えているため農業用フィルムの洗浄−乾燥−折畳みという一連の作業を一つのシステム内で完結することができる。
（２）槽内の農業用フィルムを水槽内に配設された超音波振動ユニットに接触させた状態で超音波振動ユニットを振動させるため、超音波が吸収されにくく、汚れを効果的に取り除くことができる。
（３）超音波によって汚れを浮き上がらせるものであるため、農業用フィルムを傷つけることがない。
【図面の簡単な説明】
【００１５】
【図１】本発明の農業用フィルム洗浄折畳みシステムの概要説明図。
【図２】図１の農業用フィルム洗浄折畳みシステムにおける洗浄装置の説明図。
【図３】図１の農業用フィルム洗浄折畳みシステムにおける折畳み装置及びフィルム搬送装置の説明図。
【図４】図３のフィルム搬送装置の駆動機構の説明図。
【図５】図３のフィルム搬送装置の折畳み装置及び引き込み装置の説明図。
【発明を実施するための形態】
【００１６】
（実施形態）
本発明の実施形態の一例を、図面を参照して説明する。この実施形態のフィルム洗浄折畳みシステムは、農業用フィルムＸを洗浄する洗浄装置１と、当該洗浄装置１の先方に配置され、農業用フィルムＸを乾燥する乾燥装置２と、農業用フィルムＸを所定形状に折り畳む折畳み装置３と、洗浄装置１の手前側にある農業用フィルムＸを洗浄装置１−乾燥装置２−折畳み装置３の順に搬送する（移動させる）フィルム搬送装置４を備えている。この実施形態では、洗浄装置１の手前に送り込みローラ５が、洗浄装置１の水槽６内に槽内ローラ７が、乾燥装置２の前後に送りローラ８が、折畳み装置３の手前に引き込み先送りローラ９が設けられ、農業用フィルムＸを、送り込みローラ５の上側−槽内ローラ７の下側−送りローラ８の上側−引き込み先送りローラ９の上側を通過（移動）させて折畳み装置３で折り畳めるようにしてある。
【００１７】
［洗浄装置］
一例として図１及び図２に示す洗浄装置１は、洗浄用の水を貯留する水槽６と、超音波を発振する超音波振動装置１０を備えている。
【００１８】
図１及び図２に示す水槽６は、縦（高さ）９００ｍｍ×横（幅）４１００ｍｍ×奥行９００ｍｍ程度の横長の直方体であり、内部に洗浄用の水が貯留されている。水槽６の上面部分は、農業用フィルムＸの送り込みや送り出し、洗浄用の水の供給ができるように開口してある。水槽６内に水を貯留するときは、この開口にホース等を導入して水を供給することができる。水槽６の底面には開閉コック付きのドレン１１が設けられ、このドレン１１の開閉コックを開くことで水槽６内に貯留された水を排出できるようにしてある。洗浄用の水には井戸水や水道水等を利用することができる。水の温度は常温（１５〜２０℃程度）でもよいが、常温よりも温度の高い水を用いることで洗浄効果が向上する。なお、水槽６の大きさは一例であり、洗浄対象である農業用フィルムＸの大きさ（寸法）に応じて、これよりも大きなものを用いることも小さなものを用いることもできる。
【００１９】
前記超音波振動装置１０は、複数の振動ユニット（超音波振動ユニット）１０ａと、水槽６外に設置されて振動ユニット１０ａを駆動させる超音波発振器１０ｂを備えている。複数の振動ユニット１０ａは、取付け枠１２に取り付けられている。この実施形態では二つの取付け枠１２のそれぞれに、六つずつ振動ユニット１０ａが取り付けられている。具体的には、それぞれの取付け枠１２の一面側に上下三つずつ振動ユニット１０ａが取り付けられている。上三つの振動ユニット１０ａは間隔をあけて横並びに、下三つの振動ユニット１０ａも間隔をあけて横並びに取り付けられている。取付け枠１２は、一又は二以上の振動ユニット１０ａを取り付けられればどのような構造でもよい。なお、振動ユニット１０ａの設置個数は一例であり、洗浄対象である農業用フィルムＸの大きさ（寸法）や水槽６の大きさ等に応じて適宜増減することができる。また、振動ユニット１０ａの配置も、洗浄対象である農業用フィルムＸの大きさ（寸法）や水槽６の大きさ、振動ユニット１０ａの設置個数等に応じて適宜変更することができる。
【００２０】
前記振動ユニット１０ａには、例えば、株式会社エスエヌディの標準型ＳＵシリーズ（型式：ＳＵ−６００Ａ）などを用いることができる。この振動ユニット１０ａは、周波数帯域１５〜１００ｋＨｚ、出力１００〜１５０００Ｗであり、いわゆるＢＬＴ振動子を備えた振動ユニットである。ここで示した振動ユニット１０ａは一例であり、これ以外のものを用いることもできる。なお、それぞれの振動ユニット１０ａにはケーブル１０ｃが接続され、それぞれのケーブル１０ｃの先端が水槽６外に設けられた超音波発振器１０ｂに接続されている。超音波発振器１０ｂでは、振動ユニット１０ａのＯＮ／ＯＦＦや、出力の強弱切替え等を操作することができる。
【００２１】
振動ユニット１０ａが取り付けられた二つの取付け枠１２は、水槽６の前後方向に間隔をあけて配設された横長の係止フレーム（図示しない）に係止してある。両取付け枠１２は振動ユニット１０ａの発振面が同方向を向くように（図１の例では、共に水槽６の奥側を向くように）配置してある。このように配置することで、相互の振動ユニット１０ａから発振される超音波が互いに打ち消し合うことがなく、また、一方の取付け枠１２に取り付けられた振動ユニット１０ａで農業用フィルムＸの一方の面（例えば表面）を、他方の取付け枠１２に取り付けられた振動ユニット１０ａで農業用フィルムＸの他方の面（例えば裏面）を洗浄することができる。
【００２２】
水槽６の開口部の手前側には、送り込みローラ５が二本設けられている。送り込みローラ５は農業用フィルムＸを水槽６内に案内するためのローラであり、水槽６の長手方向の長さと同程度の長さを有する。二本の送り込みローラ５は、農業用フィルムＸの送り込み方向に間隔をあけて配置され、図示しないフレームに回転可能に支持されている。
【００２３】
水槽６内には、農業用フィルムＸを先方に案内するとともに、水槽６内に送り込まれた農業用フィルムＸが水に浮かないように押さえるための槽内ローラ７が間隔をあけて二本設けられている。送り込みローラ５と同様、槽内ローラ７も水槽６の長手方向の長さと同程度の長さを有する。二本の槽内ローラ７は、農業用フィルムＸの送り込み方向に間隔をあけて配置され、水槽６内に設けられた支持台（図示しない）に回転可能に支持されている。なお、農業用フィルムＸは重ならないように広げて水槽６内に入れる必要があるが、この作業は手作業で行うことも、農業用フィルムＸを広げる装置を用いて行うこともできる。
【００２４】
ここで、本実施形態における、先方側の送り込みローラ５ａと手前側の槽内ローラ７ａの位置関係及び先方側の槽内ローラ７ｂと乾燥装置２の手前側の送りローラ８ａ（詳細は後述する）の位置関係を、図１に基づいて説明する。
【００２５】
図１に示すように、先方側（図１の右側）の送り込みローラ５ａと手前側（図１の左側）の槽内ローラ７ａは、それらに沿って移動する農業用フィルムＸが弛むことなく、手前側（図１の左側）の振動ユニット１０ａの表面に接触するように支持できる位置に設けてある。具体的には、先方側の送り込みローラ５ａは、その先方側（図１の右側）の端部が手前側（図１の左側）の振動ユニット１０ａの表面と面一又は略面一となる位置に、手前側の槽内ローラ７ａは、その手前側（図１の左側）の端部が手前側（図１の左側）の振動ユニット１０ａの表面と面一又は略面一となる位置に設けてある。
【００２６】
同様に、先方側（図１の右側）の槽内ローラ７ｂと乾燥装置２の手前側（図１の左側）の送りローラ８ａも、それらに沿って移動する農業用フィルムＸが弛むことなく、奥側（図１の右側）の振動ユニット１０ａの表面に接触するように支持できる位置に設けてある。具体的には、先方側の槽内ローラ７ｂは、その先方側（図１の右側）の端部が奥側（図１の右側）の振動ユニット１０ａの表面と面一又は略面一となる位置に、乾燥装置２の手前側の送りローラ８ａは、その手前側（図１の左側）の端部が奥側（図１の右側）の振動ユニット１０ａの表面と面一又は略面一となる位置に設けてある。
【００２７】
水槽６の上方であって、水槽６内で超音波洗浄された農業用フィルムＸの送り出し方向先方には、超音波洗浄では落としきれなかった汚れを落とす洗浄ブラシ１３が設けられている。一例として図２に示す洗浄ブラシ１３は、細長のロール状基材の外周にブラシを備えたものである。この実施形態では、洗浄ブラシ１３を水槽６から送り出された農業用フィルムＸを挟み込むように農業用フィルムＸの表裏両面側に設けられている。それぞれの洗浄ブラシ１３は、長手方向両端部が図示しないフレームに回転可能に支持されている。洗浄ブラシ１３は必要に応じて設ければよく、不要な場合には省略することができる。
【００２８】
前記洗浄ブラシ１３の上方には、農業用フィルムＸに洗浄用の水を供給するための水供給パイプ１４が設けられている。水供給パイプ１４は細長のパイプであり、パイプ内の水を農業用フィルムＸに供給するための供給口が長手方向に間隔をあけて多数設けられている。この実施形態では、水供給パイプ１４が農業用フィルムＸの表裏両面側に一本ずつ設けられ、洗浄ブラシ１３での農業用フィルムＸの洗浄に際して、農業用フィルムＸの表裏両面に水を供給できるようにしてある。それぞれの水供給パイプ１４は、図示しないフレームに支持されている。水供給パイプ１４は必要に応じて設ければよく、不要な場合には省略することができる。なお、水供給パイプ１４の上方には、吸水性のスポンジやエア噴射器など、農業用フィルムＸに付着した水を取り除く水除去手段１５を、必要に応じて設けることもできる。
【００２９】
［乾燥装置］
前記乾燥装置２は、洗浄された農業用フィルムＸを折り畳む前に乾燥するための装置である。乾燥装置２には、ヒータや温風機などを用いることができる。図１に示す例では、乾燥装置２に農業用フィルムＸが通過可能な通路（図示しない）が設けられ、農業用フィルムＸが当該通路を通過する際に乾燥するようにしているが、農業用フィルムＸの両面を乾燥させることができるものであれば、これ以外のものであってもよい。
【００３０】
前記乾燥装置２の前後には、水槽６を通過した農業用フィルムＸを折畳み装置３に案内する送りローラ８が一本ずつ設けられている。それぞれの送りローラ８は、送り込みローラ５や槽内ローラ７と同程度の長さの細長のローラであり、その長手方向両端が図示しないフレームに回転可能に支持されている。なお、前述のとおり、乾燥装置２の手前側の送りローラ８ａは、先方側の槽内ローラ７ｂの真上又は略真上に設けられ、水槽６内の農業用フィルムＸがテンションのかかった状態（弛んでいない又はほとんど弛んでいない状態）で真っ直ぐ引き上げられるようにしてある。
【００３１】
［フィルム搬送装置］
前記フィルム搬送装置４は、洗浄装置１の手前にある農業用フィルムＸを、洗浄装置１−乾燥装置２−折畳み装置３の順に搬送するための装置であり、より具体的には、農業用フィルムＸを、洗浄装置１及び乾燥装置２を通過するように引き込んで、その先に配置された折畳み装置３に向けて送り出すためのものである。
【００３２】
一例として図３及び図４に示すフィルム搬送装置４は、モータＭと、当該モータＭで駆動する駆動機構１６と、当該駆動機構１６によって回転する引き込み先送りローラ９と、当該引き込み先送りローラ９で引き込む農業用フィルムＸを押さえる押さえ具１７を備えている。図３及び図４に示すように、前記モータＭは、前記駆動機構１６を駆動するための動力源であり、駆動機構１６や押さえ具１７などを設置するフレーム１８の載せ台１９上に設けられている。
【００３３】
図４に駆動機構１６の一例を示す。この実施形態の駆動機構１６には、モータＭに接続されたギヤボックス２０、ギヤボックス２０から突出するシャフトに取り付けられた駆動スプロケット２１、モータＭの上方に配置された上シャフト２２と下シャフト２３、当該上シャフト２２に取り付けられた上側従動スプロケット２４、下シャフト２３に取り付けられた下側従動スプロケット２５、フレーム１８（図３）に取り付けられたテンションスプロケット２６、前記引き込み先送りローラ９の長手方向外側に設けられた引き込み先送りスプロケット２７、後述する折畳み装置３の回転軸ローラ２８の長手方向外側に設けられた回転軸スプロケット２９、これら各種スプロケットに掛けられた四本のチェーン３０などが含まれる。
【００３４】
前記四本のチェーン３０ａ〜３０ｄは、前記駆動スプロケット２１と上側従動スプロケット２４ａの外周に一本、上側従動スプロケット２４ｂとテンションスプロケット２６ａと下側従動スプロケット２５ａの外周に一本、下側従動スプロケット２５ｂと上側従動スプロケット２４ｃとテンションスプロケット２６ｂとの外周に一本、上側従動スプロケット２４ｄと引き込み先送りスプロケット２７と回転軸スプロケット２９とテンションスプロケット２６ｃの外周に一本ずつ掛けられている。モータＭによる動力は、駆動スプロケット２１−上側従動スプロケット２４ａ−上側従動スプロケット２４ｂ−下側従動スプロケット２５ａ−下側従動スプロケット２５ｂ−上側従動スプロケット２４ｃ−上側従動スプロケット２４ｄ−引き込み先送りスプロケット２７−回転軸スプロケット２９へと伝達され、引き込み先送りローラ９及び回転軸ローラ２８が回転するようにしてある。
【００３５】
前記引き込み先送りローラ９は、送り込みローラ５や槽内ローラ７、送りローラ８と同程度の長さの細長のローラであり、これらローラと平行（農業用フィルムＸの走行方向と交差する向き）に設けられている。この引き込み先送りローラ９は、ベアリングを備えた支持材３１に軸支され、前記モータＭで駆動機構１６を駆動することによって、その上面側の農業用フィルムＸを折畳み装置３に送り込む方向に回転するようにしてある。
【００３６】
前記押さえ具１７は、引き込み先送りローラ９の上面にある農業用フィルムＸを引き込み先送りローラ９側に押さえるものである。一例として図３に示す押さえ具１７は、農業用フィルムＸに当接して当該農業用フィルムＸを押さえる押さえローラ１７ａと、当該押さえローラ１７ａを保持する保持具１７ｂを備えている。押さえ具１７は、引き込み先送りローラ９上の農業用フィルムＸを上から押さえられるように、フレーム１８の上部に設けられた上フレーム３２に取り付けられている。この実施形態では、押さえ具１７が間隔をあけて複数設けられている。それぞれの押さえ具１７は、保持具１７ｂの上端側が上フレーム３２に軸支され、押さえローラ１７ａを上下に動くようにしてある。
【００３７】
［折畳み装置］
前記折畳み装置３は、送り込まれた農業用フィルムＸを折畳み台Ｔ２に誘導しながらつづら折りするための装置である。一例として図３に示す折畳み装置３は、農業用フィルムＸを折畳み台Ｔ２へ誘導する誘導機構３３と、当該誘導機構３３を動作させるクランク機構３４を備えている。
【００３８】
図３に示す誘導機構３３は、平行に配置された回転軸ローラ２８及びガイドローラ３５の長手方向両端側が二本の連結材３６で連結されたものである。回転軸ローラ２８及びガイドローラ３５の外周には、無端状バンド３７が回転軸ローラ２８及びガイドローラ３５の長手方向に間隔をあけて複数本周回されている。この無端状バンド３７は、回転軸ローラ２８とガイドローラ３５の上にある農業用フィルムＸが両ローラ２８、３５の間に落ち込んで弛まないように下方から支持するものであり、ゴム製バンドや布製バンド、樹脂製バンドなどを用いることができる。この誘導機構３３は、回転軸ローラ２８を回転軸として、ガイドローラ３５側が上下に回動するようにしてある。
【００３９】
前記クランク機構３４は、図４に示すように、下シャフト２３の長手方向外側に連結されたクランク３８と、当該クランク３８に連結されたロッド３９を備えている。クランク３８は長方形状の平板材であり、その長手方向一端が下シャフト２３に連結されている。このクランク３８は下シャフト２３を原動軸として図１のＳ矢印方向に回転するようにしてある。前記ロッド３９は細長の棒状であり、その一端側がクランク３８の下シャフト２３の連結側とは反対側の端部に、他端側が誘導機構３３の連結材３６の中央部に連結してある。
【００４０】
なお、誘導機構３３の裏面側には、農業用フィルムＸに粉体を吹付ける粉体噴射装置４０（図１）を設けることもできる。粉体噴射装置４０によって、農業用フィルムＸの裏面に粉を噴射することによって、折畳み時に農業用フィルムＸ同士が接着するのを防止することができる。噴射する粉体としては、例えばコーンスターチー等を用いることができる。
【００４１】
（その他の実施形態）
前記実施形態では、洗浄装置１、乾燥装置２、折畳み装置３及びフィルム搬送装置４を一つのシステムとし、この一つのシステムで農業用フィルムの洗浄−乾燥−折畳みという一連の作業を完結できるようにしてあるが、洗浄装置１、乾燥装置２、折畳み装置３及びフィルム搬送装置４は、それぞれ独立した装置として利用することもできる。また、これら装置を一又は二以上組み合わせて利用することもできる。
【００４２】
（動作）
本発明のフィルム洗浄折畳みシステムの動作について、図１を参照して説明する。この実施形態のフィルム洗浄折畳みシステムは、準備台Ｔ１に載せられた農業用フィルムＸを水が貯留された水槽６内に入れ、振動ユニット１０ａに農業用フィルムＸが接触する状態で振動ユニット１０ａを振動させると、水が振動して水中に微細な泡が発生し、この泡が農業用フィルムＸにぶつかって壊れるときの衝撃波によって農業用フィルムＸに付着した汚れが剥がされる（いわゆるキャビテーション効果）。超音波洗浄された農業用フィルムＸは水槽６から引き上げられ、その引き上げ方向先方に配置された洗浄ブラシ１３で洗浄され、超音波洗浄では取り切れなかった汚れが除去される。洗浄ブラシ１３での洗浄によって取り除かれた汚れは、水供給パイプ１４から供給される水によって洗い流される。汚れが除去された農業用フィルムＸはさらに先方に引っ張られ、水除去手段１５によって農業用フィルムＸに付着した水分が除去される。水が除去された農業用フィルムＸは乾燥装置２を通過することで乾燥し、さらに先方の折畳み装置３の誘導機構３３上へ送り込まれる。誘導機構３上に送り込まれた農業用フィルムＸは、駆動機構１６によって誘導機構３３のガイドローラ３５側が上下に回動すると、この動きに伴って農業用フィルムＸがつづら折りされながら折畳み台Ｔ２へ載せられる。
【００４３】
なお、図１に示す農業用フィルム洗浄折畳みシステムを用いて、農業用フィルムＸの洗浄−乾燥−折畳みを行う場合、最初に洗浄する農業用フィルムＸのセットは手作業で行う必要があるが、二枚目以降は前の農業用フィルムＸに連結することでセットの手間を省くことができる。
【産業上の利用可能性】
【００４４】
本発明のフィルム洗浄方法及びフィルム洗浄装置、並びに、フィルム洗浄折畳み方法及びフィルム洗浄折畳みシステムは、農業用フィルムＸの洗浄のほか、建設工事や塗装工事等の現場で野積みカバーや目隠しシート、テント用の日除けシートなどとして使用される各種材質製の軟質シートの洗浄等にも用いることができる。
【符号の説明】
【００４５】
１      洗浄装置
２      乾燥装置
３      折畳み装置
４      フィルム搬送装置
５      送り込みローラ
５ａ    先方側の送り込みローラ
６      水槽
７      槽内ローラ
７ａ    手前側の槽内ローラ
７ｂ    先方側の槽内ローラ
８      送りローラ
８ａ    手前側の送りローラ
９      引き込み先送りローラ
１０    超音波振動装置
１０ａ  振動ユニット（超音波振動ユニット）
１０ｂ  超音波発振器
１０ｃ  ケーブル
１１    ドレン
１２    取付け枠
１３    洗浄ブラシ
１４    水供給パイプ
１５    水除去手段
１６    駆動機構
１７    押さえ具
１７ａ  押さえローラ
１７ｂ  保持具
１８    フレーム
１９    載せ台
２０    ギヤボックス
２１    駆動スプロケット
２２    上シャフト
２３    下シャフト
２４、２４ａ〜２４ｄ  上側従動スプロケット
２５、２５ａ、２５ｂ  下側従動スプロケット
２６、２６ａ〜２６ｃ  テンションスプロケット
２７    引き込み先送りスプロケット
２８    回転軸ローラ
２９    回転軸スプロケット
３０、３０ａ〜３０ｄ  チェーン
３１    支持材
３２    上フレーム
３３    誘導機構
３４    クランク機構
３５    ガイドローラ
３６    連結材
３７    無端状バンド
３８    クランク
３９    ロッド
４０    粉体噴射装置
Ｍ      モータ
Ｔ１    準備台
Ｔ２    折畳み台
Ｘ      農業用フィルム
【図１】
2018008187.tif 000003
【図２】
2018008187.tif 000004
【図３】
2018008187.tif 000005
【図４】
2018008187.tif 000006
【図５】
2018008187.tif 000007